(57)【要約】【課題】簡単な器具を用いることにより女性下着の盗難を未然に防止する。【解決手段】１本の紐（２）と、この紐（２）に取り付けた少なくとも一対の雌雄ファスナ部材（３，４）からなる女性下着の盗難防止具（１）である。前記紐（２）を前記女性下着に固定すると共に、前記雌雄ファスナ部材（３，４）同士を係合することにより、前記女性下着から突出するリングが形成可能である。このリングの中にハンガー等の底部棒を通すことにより、ハンガーと一体化する。好ましくは、前記紐（２）の幅は、０．５〜１０ｍｍ、長さは５〜５０ｃｍである。【選択図】図３
2010263948.tif 000002
【特許請求の範囲】
【請求項１】
女性下着の盗難防止具（１）であって、
１本の紐（２）と、この紐（２）に取り付けた少なくとも一対の雌雄ファスナ部材（３，４）からなり、
前記紐（２）を前記女性下着に固定すると共に、前記雌雄ファスナ部材（３，４）同士を係合することにより、前記女性下着から突出するリングが形成可能である
ことを特徴とする女性下着の盗難防止具（１）。
【請求項２】
前記紐（２）の幅が０．５〜１０ｍｍ、長さが５〜５０ｃｍであるものである請求項１の盗難防止具。
【請求項３】
請求項１又は２記載の盗難防止具を備えたことを特徴とする女性下着。
【請求項４】
前記盗難防止具（１）を収納するポケット（５１，８１）が設けられている請求項３記載の女性下着。
【請求項５】
２本の紐（２Ａ，２Ａ；２Ｂ，２Ｂ）と、それぞれの紐のところどころに設けた雌雄ファスナ部材（３Ａ，４Ａ；３Ｂ，４Ｂ）からなり、
前記女性下着の開口部に前記紐を通すと共に、前記雌雄ファスナ部材同士（３Ａ，４Ａ；３Ｂ，４Ｂ）を係合することにより、前記女性下着から突出する複数のリングが形成可能である
ことを特徴とする女性下着の盗難防止具。
【請求項６】
隣り合う前記雌雄ファスナ部材（３Ａ，４Ａ；３Ｂ，４Ｂ）同士の間の前記紐（２Ａ，２Ａ；２Ｂ，２Ｂ）の幅が０．５〜１０ｍｍ、長さが５〜５０ｃｍである請求項５の盗難防止具。
【請求項７】
１本の紐（２Ｂ）と、この紐のところどころに混在するように設けた雌雄ファスナ部材（３Ｂ，４Ｂ）からなり、
前記女性下着の開口部に前記紐を通すと共に、前記雌雄ファスナ部材同士（３Ａ，４Ａ；３Ｂ，４Ｂ）を係合することにより、前記女性下着から突出する複数のリングが形成可能である
ことを特徴とする女性下着の盗難防止具。
【発明の詳細な説明】
【技術分野】
【０００１】
本発明は、洗濯物として干してある女性下着の盗難を未然に防止する盗難防止具及びこれを有する女性下着に関する。
【背景技術】
【０００２】
ベランダや軒下に干されているブラジャーやショーツ等の女性用下着が、下着泥棒に盗まれる事件が頻発している。
【０００３】
これを防ぐために、例えば、特開２００８−２２９２９９では、物干し具に女性下着を干した後、物干し具の外枠をカバーで覆い隠して下着を外から見えにくくすることを提案している。
【０００４】
しかし、そのようなカバーを多数用意するのは、使用や保管に場所を取るためあまり現実的とは思われない。現時点で盗難を防止するには部屋干しをする以外に有効な対策が見あたらないのが実情である。
【発明の概要】
【発明が解決しようとする課題】
【０００５】
本発明は、簡単な器具を用いることにより女性下着の盗難を未然に防止することを目的とする。
【課題を解決するための手段】
【０００６】
本発明請求項１は、女性下着の盗難防止具であって、１本の紐と、この紐に取り付けた少なくとも一対の雌雄ファスナ部材からなり、前記紐を前記女性下着に固定すると共に、前記雌雄ファスナ部材同士を係合することにより、前記女性下着から突出するリングが形成可能であることを特徴とする。「紐」はテープ状のものも含むものとする。「雌雄ファスナ部材」としては、一般のスナップボタン、ボタンとボタン穴、薄手の面ファスナ、等を使用することができる。
【０００７】
請求項２は、請求項１の盗難防止具において、前記紐の幅が０．５〜１０ｍｍ、長さが５〜５０ｃｍであるものである。より好ましい紐の幅は、０．５〜５ｍｍ、最も好ましいのは０．５〜２ｍｍである。より好ましい長さは、好ましくは５〜３５ｃｍ、最も好ましくは７〜２０ｃｍである。
【０００８】
請求項３は、請求項１又は２の盗難防止具を備えた前記女性下着である。
【０００９】
請求項４は、請求項３の女性下着において、前記盗難防止具を収納するポケットを設けていることを特徴とする。
【００１０】
請求項５は、女性下着の盗難防止具であって、２本の紐とそれぞれの紐のところどころに設けた雌雄ファスナ部材からなり、前記女性下着の開口部に前記紐を通過させると共に、前記雌雄ファスナ部材同士を係合することにより、前記女性下着から突出する複数のリングが形成可能であることを特徴とする。
【００１１】
請求項６は、請求項５の盗難防止具において、隣り合う前記雌雄ファスナ部材同士の間の前記紐の幅が０．５〜１０ｍｍ、長さが５〜５０ｃｍであるものである。より好ましい紐の幅は、０．５〜５ｍｍ、最も好ましいのは０．５〜２ｍｍである。より好ましい長さは、好ましくは５〜３５ｃｍ、最も好ましくは７〜２０ｃｍである。
【００１２】
請求項７の女性下着の盗難防止具は、１本の紐と、この紐のところどころに混在するように設けた雌雄ファスナ部材からなり、前記女性下着の開口部に前記紐を通すと共に、前記雌雄ファスナ部材同士を係合することにより、前記女性下着から突出する複数のリングが形成可能であることを特徴とする。
【発明の効果】
【００１３】
請求項１の発明によれば、女性下着から突出するリングが形成可能であるので、このリングの中にハンガーの底部棒を通すことにより、ハンガーと一体化される。
【００１４】
請求項２の発明によれば、細長い紐を使用するので、請求項４のポケットに収容しやすい利点がある。しかし、太幅のテープでも請求項１の効果は得られる。
【００１５】
請求項３の発明によれば、盗難防止具を備えた前記女性下着が提供される。
【００１６】
請求項４の発明によれば、不使用時にこのポケットの中に収容することにより、盗難防止具を目立たなくすることができる。
【００１７】
請求項５の発明によれば、一度に多数の女性下着の盗難を防止することができる。
【００１８】
請求項６の発明によれば、細長い紐を使用するので、請求項４のポケットに収容しやすい利点がある。しかし、太幅のテープでも請求項１の効果は得られる。
【００１９】
請求項６の発明によれば、一度に多数の女性下着の盗難を防止することができるだけでなく、雌雄ファスナ部材が混在する１本の紐を使用するので、２本の紐を常備する必要がない。
【図面の簡単な説明】
【００２０】
【図１】本発明の第１実施例で使用する盗難防止具の（ａ）左側面図、（ｂ）右側面図、（ｃ）正面図である。
【図２】図１（ｂ）の断面図であり、（ａ）は係合前、（ｂ）は係合後を示す。
【図３】（ａ）本発明第１実施例の盗難防止具の使用状態を示す正面図、（ｂ）は部分拡大図、（ｃ）は不使用時の状態を示す正面図である。
【図４】（ａ）本発明第１実施例の盗難防止具の使用状態を示す正面図である。（ｂ）は部分拡大図である。
【図５】本発明の第２実施例で使用する盗難防止具の（ａ）右側面図、（ｂ）正面図である。
【図６】本発明の第２、第３実施例の盗難防止具の使用状態を示す斜視図である。
【図７】本発明の第３実施例で使用する盗難防止具の（ａ）右側面図、（ｂ）正面図である。
【発明を実施するための形態】
【００２１】
以下、添付の図面に基づき、本発明の実施態様を説明する。
【実施例１】
【００２２】
図１、図２に示す盗難防止具１の第１実施例は、紐２とこの紐の両端に設けた一対の雌雄ファスナ部材３，４からなる。紐２と雌雄ファスナ部材３，４は共にプラスチックにより成形することが好ましい。この実施例では、雌ファスナ部材３の直径は約８ｍｍ、雄ファスナ部材４の直径は約５ｍｍである。紐２は直径約１ｍｍであり、長さは約６ｃｍである。
【００２３】
図２から明らかなように、紐２は、雌雄ファスナ部材３，４の中では埋め込まれて一体化している。場合によれば、紐２と雌雄ファスナ部材３，４を一体形成することも可能である。
【００２４】
雌ファスナ部材３は、円板状で、係合側の中央に窪み３１を有する。窪みの途中に段部が形成されていて２段となっており、窪み底部３２の直径が窪み上部３３の直径よりも大きい。
【００２５】
雄ファスナ部材４は、やはり円板状で、係合側に凸部４１を形成している。凸部４１の途中に段部が形成されていて２段となっており、凸部上部４２の直径が凸部底部４３の直径よりも大きい。
【００２６】
雌雄ファスナ部材３，４を指で押して係合させると、凸部４１が窪み３１の中に収納されて、図２（ｂ）の状態となる。係合の強さは一般のスナップボタン程度で十分であるが、必要があれば段部の段差を大きくするなどして少し強めてもよい。
【００２７】
図３及び図４により、この盗難防止具１の使用方法を説明する。
【００２８】
図３（ａ）〜（ｃ）はショーツ５の例である。このショーツ５の上端部に、上端のみ開口させたポケット５１を設け、そのポケット５１の内部で上記盗難防止具の紐２を中央の１個所２１で固定する。体に着用しているときを含め、通常は図３（ｃ）のように、紐２と雌雄ファスナ部材３，４はポケット５１の中に収納された状態であるので、目立たない。また、ポケット生地が介在するので、雌雄ファスナ部材３，４が直接肌に当たることはない。
【００２９】
洗濯をした後、乾かすためにハンガー６に掛けるとき、洗濯挟み７で吊すのはもちろんであるが、それに加えて、盗難防止具１の雌雄ファスナ部材３，４を立ち上げ（図３（ｂ））、ハンガーの底部棒６１を抱え込むようにして、雌雄ファスナ部材同士３，４を係合させる（図３（ａ））。盗難防止具１はショーツ５から突出するリングを形成し、このリングの中にハンガーの底部棒６１が通っている状態となる。
【００３０】
下着泥棒が竿などを使用してこのショーツ５を引っ張って下ろそうとすると、洗濯挟み７はすぐに外れるであろうが、この盗難防止具１は簡単には外せないので、盗難を防止することができる。もちろん雌雄ファスナ部材３，４を直接手で持って引き離すことは可能であるが、一般に泥棒は見つかることを極度に恐れているので、時間がかかることは避けるといわれている。また、ハンガー６ごと盗むことも可能であるが、犯行の明白な証拠を残すようなことはやはりなるべく避けるであろうと考えられる。
【００３１】
図４は、ブラジャー８の例である。ポケット８１は乳房カップの間に設けている。盗難防止具１の構成及び使用方法は図３の場合と同様であるので、説明を省略する。
【実施例２】
【００３２】
図５に示す盗難防止具１Ａの第２実施例は、一対の紐２Ａからなる。一方は複数の雌ファスナ部材３Ａをところどころに設けた紐であり、他方は、複数の雄ファスナ部材４Ａをところどころに設けた紐である。雌雄ファスナ部材３Ａ，４Ａは第１実施例と同様の構成を有する。この実施例では、雌ファスナ部材３の直径は約８ｍｍ、雄ファスナ部材４の直径は約５ｍｍである。１本の隣り合う雌雄ファスナ部材３Ａ，４Ａ同士の間の紐２は直径約１ｍｍであり、長さは約６ｃｍである。
【００３３】
図６により、複数のショーツ５を盗難防止具１Ａにより同時に盗難から防ぐ方法を説明する。盗難防止具１Ａの２本の紐２Ａ，２Ａをショーツ５の胴部開口及び太股部開口を潜らせると共に、ところどころでハンガー６の底部棒６１を抱え込むようにして、雌雄ファスナ部材同士３Ａ，４Ａを係合させる。盗難防止具１Ａはショーツ５から突出する複数のリングを形成し、この中の適当な位置にあるリングにハンガーの底部棒６１が通っている状態となる。
【００３４】
複数のブラジャーの場合は図示していないが、肩紐と本体の間の大きな開口を利用して、盗難防止具１Ａの紐２Ａを通すことができる。
【実施例３】
【００３５】
図７に示す盗難防止具１Ｂの第３実施例は、やはり一対の紐２Ｂからなる。双方とも複数の雌雄ファスナ部材３Ｂ，４Ｂを混合させてところどころに設けた紐２Ｂである。雌雄ファスナ部材３Ｂ，４Ｂは第１実施例と同様の構成を有する。１本の隣り合う雌雄ファスナ部材３Ｂ，４Ｂ同士の間の紐２は直径約１ｍｍであり、長さは約６ｃｍである。
【００３６】
この実施例では１本の紐の中に雌雄ファスナ部材３Ｂ，４Ｂを混在しているので、「一対の紐」２Ｂは２本である必要はない。使用時に紐が２列になっておればよく、分断された２本の紐を使用してもよいし、１本の紐を折り曲げて使用してもよい。
【００３７】
第３実施例も第２実施例と全く同じように使用することができる。
【先行技術文献】
【特許文献】
【００３８】
【特許文献１】特開２００８−２２９２９９
【符号の説明】
【００３９】
１，１Ａ，１Ｂ       盗難防止具
２，２Ａ，２Ｂ       紐
３，３Ａ，３Ｂ       雌ファスナ部材
４，４Ａ，４Ｂ       雄ファスナ部材
５     ショーツ
５１   ポケット
６     ハンガー
６１   底部棒
８     ブラジャー
８１   ポケット
【図１】
2010263948.tif 000003
【図２】
2010263948.tif 000004
【図３】
2010263948.tif 000005
【図４】
2010263948.tif 000006
【図５】
2010263948.tif 000007
【図６】
2010263948.tif 000008
【図７】
2010263948.tif 000009